(57)【要約】【課題】円錐状の菓子を包装する円錐型包装体において、包装の全体を簡単かつ確実に除去できる構成を提供する。【解決手段】第１破断切線６１と第２破断切線６２の間の周壁部分６０を破り取って開封するように構成した円錐型包装体。第１破断切線６１は、周壁部分６０を破り取って開封した状態において、残存する包装体部分の端縁形状が、少なくとも一部分が他の部分よりも上方に突出する山形形状６１ａとなるように形成する。さらに、第１破断切線６１よりも円錐頂点５６側に第３破断切線６３を設けるとともに、山形形状部分６１ａの裾野近傍位置６１ｂから、第３破断切線６３へ延在する案内破断切線６５を設ける。山形形状部分６１ａを摘んで破断作業を開始すると、破断は、山形形状部分の裾野６１ｂから案内破断切線６５を通過し、第３破断切線６３へと進む。このようにして、円錐型包装体の残存部分を簡単かつ確実に除去することができる。【選択図】図２
2008030781.tif 000002
【特許請求の範囲】
【請求項１】
円錐状の周壁に設けた開封用の摘み部（５５）と、当該摘み部を挟んで間隔をおいて周壁面上を周方向に延在する円錐頂点（５６）側の第１破断切線（６１）および大径側の第２破断切線（６２）と、を備え、
第１破断切線（６１）と第２破断切線（６２）の間の周壁部分（６０）を破り取って開封するように構成された円錐型包装体において、
第１破断切線（６１）は、上記周壁部分（６０）を破り取って開封した状態において、残存する包装体部分の端縁形状が、少なくとも一部分が他の部分よりも上方に突出する山形形状（６１ａ）となるように形成されていて、
第１破断切線（６１）よりも円錐頂点（５６）側に、周壁面上を周方向に延在する第３破断切線（６３）を設けるとともに、
上記山形形状部分（６１ａ）の裾野近傍位置（６１ｂ）から、第３破断切線（６３）へと延在する案内破断切線（６５）を設けたことを特徴とする、円錐型包装体。
【請求項２】
上記円錐状の周壁は、略扇形のブランク（５０）を円錐状に巻回して両側端縁部を接着して円錐状にされており、
上記第３破断切線（６３）は、略扇形ブランク（５０）の一端縁近傍の第１端（６３ａ）から他端縁近傍の第２端（６３ｂ）まで延在していて、
第１端（６３ａ）および第２端（６３ｂ）の一方において、第３破断切線（６３）が複数に枝分かれして一定の拡がりを有する易破断領域（６４）を構成し、略扇形ブランク（５０）を巻回したとき、第１端（６３ａ）および第２端（６３ｂ）の他方が、易破断領域（６４）に連結されることを特徴とする、請求項１記載の円錐型包装体。
【発明の詳細な説明】
【技術分野】
【０００１】
本発明は、円錐状のコーン部分を握って食べるアイスクリームや菓子等の包装に用いる円錐型包装体に関する。さらに詳しくは、円錐体の側面に設けた摘み部を引っ張ることで破り開けるタイプの円錐型包装体に関する。
【背景技術】
【０００２】
従来より、包装紙を円錐形に丸めるとともに、上端部を放射状に寄せ合わせて熱接着して封止することでアイスクリームや菓子等を包装する円錐型包装体が知られている（例えば、特許文献１参照）。
【０００３】
特許文献１の円錐型包装体を構成するブランク３０を図１（ａ）に示した。円錐形のブランク３０は、一側辺に設けた開封用タブ（摘み部）１６と、その上下端から周方向に延在するように形成した第１破断切線１８および第２破断切線２２とを有する。図１（ｂ）は、包装状態を示しており、開封用タブ１６を周壁に沿って矢印Ａ方向に破り開けることができる。
【０００４】
図１（ａ）において、第１破断切線１８は、ブランク３０の頂点２６を中心とした円弧状に形成されている。一方、第２破断切線２２は、第１破断切線１８と同心円状になっているのではなく、破り動作が進行するにしたがって、第１破断切線１８から離れていくように形成されている。これにより、第２破断切線２２に沿う破り線はタブ１６の位置から上方へ螺旋状に進行し、その結果、上方封止部３２を良好に取り外すことができる。
【０００５】
【特許文献１】特開２００１−１７１６４３号
【発明の開示】
【発明が解決しようとする課題】
【０００６】
上記の円錐型包装体において、消費者は、第１破断切線１８よりも上方の包装部分を除去し、これにより露出したアイスクリームの上方部分から食べていく。その後、さらに下方部分のアイスクリームを食べるには、第１破断切線１８よりも下方の包装部分を除去することが必要となる。その際、一般的には、円錐体の稜線に沿って延びる熱接着領域の端縁部１９を摘んで、下方に残った包装部分を引き剥がしている。
しかしながら、特に熱接着が強固に為されている場合などは、端縁部１９が摘み難く、下方側に残った包装部分を除去し難いといった問題があった。
【０００７】
上記従来の問題点に鑑み、本発明は、下方側に残った包装部分を簡単に除去できる円錐型包装体を提供することを目的とする。
【課題を解決するための手段】
【０００８】
本発明は、上記課題を有効に解決するために創案されたものであって、以下の特徴を備えた円錐型包装体を提供する。
本発明の円錐型包装体は、円錐状の周壁に設けた開封用の摘み部と、当該摘み部を挟んで間隔をおいて周壁面上を周方向に延在する円錐頂点側の第１破断切線および大径側の第２破断切線と、を備え、第１破断切線と第２破断切線の間の周壁部分を破り取って開封するように構成された円錐型包装体である。
そして、第１破断切線は、上記周壁部分を破り取って開封した状態において、残存する包装体部分の端縁形状が、少なくとも一部分が他の部分よりも上方に突出する山形形状となるように形成されている。
さらに、第１破断切線よりも円錐頂点側に、周壁面上を周方向に延在する第３破断切線を設けるとともに、上記山形形状部分の裾野近傍位置から、第３破断切線へと延在する案内破断切線を設けている。
【発明の効果】
【０００９】
上記構成を備えた本発明の円錐型包装体においては、第１破断切線と第２破断切線との間の周壁部分を破り取って開封した状態において、残存する包装体部分の端縁形状が、上方に突出する山形形状となる。したがって、この部分を摘んで、残存する包装体部分を簡単に破り始めることができる。
そして、第１破断切線よりも円錐頂点側には、周壁面上を周方向に延在する第３破断切線が設けられていて、山形形状部分の裾野近傍位置から、第３破断切線へと延在する案内破断切線が存在する。
つまり、消費者が山形形状部分を摘んで破断作業を開始すると、破断は、山形形状部分の裾野から案内破断切線を通過し、第３破断切線上を進む。このようにして、円錐型包装体の残存部分を簡単かつ確実に除去することができる。
【発明を実施するための最良の形態】
【００１０】
本発明の実施形態を添付の図面を参照して、以下に詳細に説明する。図２は、本発明の一実施形態に係る円錐型包装体５０の斜視図である。図２（ａ）は、最初に円錐型包装体を開封し始めた状態を示しており、図２（ｂ）は、後述する山形形状部分６１ａが現れた状態を示している。
この円錐型包装体は、図３に示した略扇形の包装材（ブランク）５０を円錐状に巻回して両側端縁部を接着するとともに、ほぼ等間隔で放射状に形成された３本の接着部５８で大径側を封止して構成される。
【００１１】
包装体５０の円錐状の周壁には、開封用の摘み部５５を形成するとともに、摘み部５５を挟むようにして、２つの破断切線を設けている。すなわち、円錐頂点５６に近い側の第１破断切線６１と、図３中において上側に位置する大径側の第２破断切線６２である。
第１破断切線６１は、大略的には、円錐頂点５６を中心とする円弧状に形成されているが、その一部に山形形状部分６１ａを有する。
一方、第２破断切線６２は、摘み部５５から離れるにつれて、第１破断切線６１から徐々に離れるよう略螺旋状に形成されている。
この円錐型包装体５０は、摘み部５５を摘んで、第１破断切線６１と第２破断切線６２の間の周壁部分６０を矢印Ａ方向に破り取ることで開封できる。
【００１２】
≪山形形状部分６１ａ≫
図２（ｂ）は、摘み部５５を摘んで周壁部分６０を破り取った状態を示している（食べかけのアイスクリーム上方部分は破線で示している）。この図および図３のブランク展開図から分かるように、第１破断切線６１は、周壁部分６０を破り取って開封した状態において、残存する包装体部分の端縁形状が、少なくとも一部分が他の部分よりも上方に突出する山形形状６１ａとなるように形成されている。
すなわち、周壁部分６０を破り取ったときに、上方に突出してタブの如く機能する山形形状部分６１ａが現れるので、この部分を摘んで、残存する包装体部分を簡単に破り始めることができる。
【００１３】
なお、山形形状部分６１ａの具体的な形状は、図示のものに限られず、上方に突出して消費者がこれを指で摘むのに適した形状であれば足りる。例えば、直線のみで構成されたビル建物の如き形状の山形形状部分であってもよい。
【００１４】
≪第３破断切線６３と案内破断切線６５≫
第１破断切線６１よりも円錐頂点５６側（すなわち、第２破断切線６２とは反対の側）には、周壁面上を周方向に延在する第３破断切線６３を設けている。そして、山形形状部分６１ａの裾野近傍位置６１ｂから、第３破断切線６３へと延在する案内破断切線６５を形成している。
すなわち、消費者が山形形状部分６１ａを摘んで矢印Ｂ方向へ破断作業を開始すると（図２(ｂ)）、破断は、山形形状部分の裾野６１ｂから案内破断切線６５を通過し、第３破断切線６３上を進む。このようにして、円錐型包装体の残存部分を簡単かつ確実に除去することができる。
【００１５】
≪易破断領域６４≫
図２（ｂ）において、山形形状部分６１ｂを摘んで矢印Ｂ方向に破り進めて行くと、第３破断切線６３上を進む破断は、円錐周壁上を１周して、接着端縁領域７０に到達する。
接着端縁領域７０とは、図３に示した略扇形のブランク５０を円錐形状に巻回して両側端縁部を接着した領域である。この領域において、第３破断切線６３は、第１端６３ａと第２端６３ｂとが連結されることとなる。すなわち、第３破断切線６３は、略扇形ブランク５０の一端縁近傍の第１端６３ａから他端縁近傍の第２端６３ｂまで延在していて、接着端縁領域７０において環状に連結される。
ここで、製造工程における巻回誤差を吸収するために、易破断領域６４を設けている。すなわち、第３破断切線６３の第２端が複数に枝分かれして、一定の拡がりを有する易破断領域６４を構成している。
仮にこのような易破断領域６４を設けないとすれば、ブランク５０の巻回工程において正確に第３破断切線６３の両端６３ａ、６３ｂを一致させなければ、第３破断切線６３上を進む破断が接着端縁領域７０をスムーズに乗り越えることはできない。
一定の面積的な拡がりを有する易破断領域６４を設けることで、巻回工程におけるズレが吸収され、破断は接着端縁領域７０を乗り越えてスムーズに進行することとなる。
【００１６】
なお、図示の例とは逆に、第３破断切線６３の第１端６３ａに易破断領域６４を設けてもよい。
すなわち、第１端６３ａおよび第２端６３ｂの一方に易破断領域６４を設けて、ブランク５０を巻回したときに、第１端６３ａおよび第２端６３ｂの他方が易破断領域６４に連結されるように構成することで、巻回誤差を吸収することができる。
【００１７】
≪ブランクの積層構造および破断切線の構造≫
円錐型包装体を作製するためのブランク（包装材）５０の積層構成は、外表面側から「プラスチックフィルム／アルミニウム箔／紙／熱接着性樹脂層」となっている。プラスチックフィルムとしては、２軸延伸ポリエチレンテレフタレートまたは２軸延伸ポリプロピレン等を使用できる。
第１破断切線６１、第２破断切線６２、第３破断切線６３、および案内破断切線６５は、プラスチックフィルムとアルミニウム箔と紙を貫通し、熱接着性樹脂層の中間まで切り込まれた状態で形成されている。すなわち、各切線は、包装材５０の全体を貫通しているのではなく、ハーフカットの状態とされている。ハーフカットの状態とすることで、内部の食品を外部から遮断することができ、衛生上好ましいとともに、不用意に破断する危険性を減じることができる。
熱接着性樹脂層は比較的引き裂き強度が小さいので、プラスチックフィルムとアルミニウム箔と紙を貫通させておけば、各切線に沿って容易に引き裂くことができる。
【００１８】
ただし、ブランクの積層構造および破断切線の構造については、上記のもの以外にも任意の形態を採用できる。
【図面の簡単な説明】
【００１９】
【図１】従来の円錐型包装体を説明する斜視図。
【図２】本発明の一実施形態に係る円錐型包装体の斜視図。
【図３】図２の円錐型包装体を構成するブランクの展開図。
【符号の説明】
【００２０】
１６  開封用タブ（摘み部）
１８  第１破断切線
１９  熱接着領域の端縁部
２２  第２破断切線
２６  円錐頂点
３０  包装材（ブランク）
３２  上方封止部
５０  円錐型包装体（ブランク）
５５  摘み部
５６  円錐頂点
５８  接着部
６１  第１破断切線
６１ａ  山形形状部分
６１ｂ  裾野部分
６２  第２破断切線
６３  第３破断切線
６３ａ  第３破断切線の第１端
６３ｂ  第３破断切線の第２端
６４  易破断領域
６５  案内破断切線
７０  接着端縁領域
【図１】
2008030781.tif 000003
【図２】
2008030781.tif 000004
【図３】
2008030781.tif 000005